(57)【要約】  【課題】情報記録時に外乱が生じた場合でも適切な記録特性を得ることのできる光情報記録装置、光情報記録方法及び光情報記録媒体を提供する。  【解決手段】波長が４０５ナノメートルの光に対して所定の吸収率を有する有機色素を用いた光ディスク１０に青紫色レーザを照射することにより記録マークとスペースとを形成して情報を記録するドライブ１００において、情報を記録するときに、記録マークを形成するために必要なライトパワーＰｗと、スペースを形成するために必要なスペース形成パワーＰｓと、光情報記録媒体に記録された情報を再生するために必要なリードパワーＰｒより高いバイアスパワーＰｂとを用いて青紫色レーザのパワーを制御する。【選択図】  図４
2008305530.tif 000002
【特許請求の範囲】
【請求項１】
波長が４０５ナノメートルの光に対して所定の吸収率を有する有機色素を用いた光情報記録媒体に前記波長を含む近傍範囲波長のレーザを照射することにより記録マークとスペースとを形成して情報を記録する光情報記録装置において、
情報を記録するときに、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて前記レーザのパワーを制御する記録パワー制御手段を備えた
ことを特徴とする光情報記録装置。
【請求項２】
前記スペース形成パワーは、リードパワーよりパワーが高い
ことを特徴とする請求項１に記載の光情報記録装置。
【請求項３】
前記バイアスパワーは、０．４ミリワット以上でライトパワーより低い範囲である
ことを特徴とする請求項１又は２に記載の光情報記録装置。
【請求項４】
波長が４０５ナノメートルの光に対して所定の吸収率を有する有機色素を用いた光情報記録媒体に前記波長を含む近傍範囲波長のレーザを照射することにより記録マークとスペースとを形成して情報を記録する光情報記録方法において、
情報を記録するときに、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて前記レーザのパワーを制御する
ことを特徴とする光情報記録方法。
【請求項５】
前記スペース形成パワーは、リードパワーよりパワーが高い
ことを特徴とする請求項４に記載の光情報記録方法。
【請求項６】
前記バイアスパワーは、０．４ミリワット以上でライトパワーより低い範囲である
ことを特徴とする請求項４又は５に記載の光情報記録方法。
【請求項７】
波長が４０５ナノメートルの光に対して所定の吸収率を有する有機色素が用いられ、光情報記録装置によって前記波長を含む近傍範囲波長のレーザが照射されることにより記録マークとスペースとを形成して情報を記録する光情報記録媒体において、
情報を記録するときに光情報記録装置が行う前記レーザのパワーの制御を、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて行わせるパワー情報があらかじめ記録されている
ことを特徴とする光情報記録媒体。
【請求項８】
前記スペース形成パワーは、リードパワーよりパワーが高い
ことを特徴とする請求項７に記載の光情報記録媒体。
【請求項９】
前記バイアスパワーは、０．４ミリワット以上でライトパワーより低い範囲である
ことを特徴とする請求項７又は８に記載の光情報記録媒体。
【発明の詳細な説明】
【技術分野】
【０００１】
本発明は、例えば、青紫色レーザにより書き込み可能な光情報記録媒体に情報を記録する光情報記録装置、光情報記録方法及び光情報記録媒体に関するものである。
【背景技術】
【０００２】
追記型ブルーレイディスク（ＢＤ−Ｒ）又は追記型ＨＤ ＤＶＤディスク（ＨＤ ＤＶＤ−Ｒ）等の高密度記録再生用の光情報記録媒体は、光透過性ディスク状基板の一方の面上に、記録層、反射層、及び必要に応じて保護層を形成した構造を有している。また、記録層や反射層が形成されている前記基板の一方の面にはグルーブと呼ばれる螺旋状又は同心円状の溝が形成され、隣り合うグルーブの間はランドと呼ばれる凸部形状に形成されている。このような高密度記録再生用の光情報記録媒体（以下、単に光情報記録媒体という）では、光情報記録装置が記録用のレーザを溝に沿ってトラッキングさせながらグルーブ上の記録層に照射して、基準のチャンネルクロック周期をＴとし、整数ｎ倍の長さをｎＴとするときに、長さｎＴのピット（以下、記録マークという）と、長さがｎＴで当該記録マーク間の部分（以下、スペースという）とを繰り返し形成することにより、情報が記録される。また、これらの記録マークやスペースの配列に、光情報記録装置が再生用のレーザ光を照射して反射光を再生信号に変換することにより、情報が再生される。
【０００３】
また、光情報記録媒体に情報信号を記録マークやスペースの符号として記録するときに、記録用レーザのパルスが単一の又は複数の短いパルスを含むパルス列になるように制御される。例えば、長さｎＴの記録マーク符号のうち、長さ２Ｔの記録マークのような短い記録マークの場合は単一のパルスパターンを用いることが多く、また、長さ４Ｔ以上の記録マークを一定の幅で書き込む場合は複数の短い分割パルスパターンを用いることが多い。このように記録用レーザのパルスを変調波形で操作して、光情報記録媒体の記録面上における熱蓄積や熱拡散の影響を抑制することにより記録精度を更に向上させる記録用レーザの照射条件をライトストラテジという。
【０００４】
従来、ライトストテジを用いた光情報記録装置において、光情報記録媒体に記録マークを形成して情報を記録するときに、記録用レーザのパルスパワー（レーザ光の出力）を、記録マークを形成するために必要なライトパワーとバイアスパワーとの間で変化させる。このバイアスパワーを、記録マークを再生するために必要なリードパワーよりもパワーを低くするようにしたものが知られている（例えば、特許文献１参照）。
【特許文献１】特開２００３−３２３７１７号公報
【発明の開示】
【発明が解決しようとする課題】
【０００５】
一方、別の情報記録装置では、光情報記録媒体に記録した情報を再生して得られるＲＦ信号のアシンメトリ又はβに基づいて、例えばＲＦ信号を二値化した二値化ＲＦ信号と当該二値化ＲＦ信号から生成したクロック信号との時間軸方向における位相差の標準偏差であるＤＣ（Data to Clock）ジッタ（以下、単にジッタという）を８．０％以下にする等、記録特性が適切になるようにライトパワーを変化させている。
【０００６】
しかしながら、４０５ｎｍの近傍範囲の波長で発振するレーザ（以下、青紫色レーザという）を用いる光情報記録装置（以下、単にドライブという）と青紫色レーザに対応する光情報記録媒体（以下、単に光ディスクという）において、４０５ｎｍの波長に吸収スペクトラムを有する有機色素を用いた光ディスクに、図１９に示すようにバイアスパワーＰｂをリードパワーＰｒより低く設定した記録パルス３０のライトストラテジで情報を記録する場合、ＣＤや通常のＤＶＤと比較して光ディスクに用いる有機色素の感度が低いため、例えばＲＦ信号における最短記録マーク及び最短スペースと最長記録マーク及び最長スペースとの振幅の対称性を表すアシンメトリの測定値（以下、アシンメトリ値という）は、ライトパワーＰｗを変化させたときに最長記録マークの振幅の変化量に対して最短記録マークの振幅の変化量が約１／２となることがあり、図２０に示すように、ジッタ（記録特性）は適切であるが、ライトパワーＰｗの変化に対してアシンメトリ値の変化幅が小さく、ライトパワーＰｗが低い範囲で極値を有する現象が発生することがある。
【０００７】
このため、情報を記録する時に、有機色素の膜厚、反射膜厚、板厚、反り等の光ディスク内外差による外乱や、レーザダイオードの温度変化やサーボ動作等のドライブの外乱が生じた場合、ＲＦ信号のアシンメトリ値又はβの測定値（以下、β値という）がほとんど変化しないため、ＲＦ信号のアシンメトリ値又はβ値に基づいてライトパワーを制御することができず、記録特性が劣化して光ディスクへの記録が停止したり、記録した情報が再生不能になったりするという問題点があった。
【０００８】
本発明は、上記事情に鑑みてなされたものであり、その目的とするところは、情報記録時に外乱が生じた場合でも適切な記録特性を得ることのできる光情報記録装置、光情報記録方法及び光情報記録媒体を提供することにある。
【課題を解決するための手段】
【０００９】
本発明は前記目的を達成するために、第１の技術手段とし、波長が４０５ナノメートルの光に対して所定の吸収率を有する有機色素を用いた光情報記録媒体に青紫色レーザを照射することにより記録マークとスペースとを形成して情報を記録する光情報記録装置において、情報を記録するときに、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて前記青紫色レーザのパワーを制御する記録パワー制御手段を備えた光情報記録装置を提案する。
【００１０】
この光情報記録装置によれば、情報記録時にライトパワーとスペース形成パワーとバイアスパワーとを用いて青紫色レーザのパワーが制御される。
【００１１】
リードパワーよりバイアスパワーのパワーを高くすることにより、ライトパワーのパワーを変化させた場合にライトパワーが低いパワーのときから最長記録マークを形成し易くなる。ここで、アシンメトリ値は再生信号における最短記録マーク及び最短スペースと最長記録マーク及び最長スペースとの振幅中心のずれの度合いを表すが、ライトパワーの変化に対して最長スペースの振幅は変化せずに最長記録マークの振幅が変化するので、最長記録マーク及び最長スペースの振幅中心が変化し、ライトパワーのパワー変化に対してアシンメトリ値が一次関数的な単調変化をさせることが可能になる。
【００１２】
また、本発明は前記目的を達成するために、第２の技術手段とし、波長が４０５ナノメートルの光に対して所定の吸収率を有する有機色素を用いた光情報記録媒体に青紫色レーザを照射することにより記録マークとスペースとを形成して情報を記録する光情報記録方法において、情報を記録するときに、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて青紫色レーザのパワーを制御する光情報記録方法を提案する。
【００１３】
この光情報記録方法によれば、情報記録時にライトパワーとスペース形成パワーとバイアスパワーとを用いて青紫色レーザのパワーを制御する。
【００１４】
そして、リードパワーよりバイアスパワーのパワーを高くすることにより、ライトパワーのパワーを変化させた場合にライトパワーが低いパワーのときから最長記録マークを形成し易くなる。ここで、アシンメトリ値は再生信号における最短記録マーク及び最短スペースと最長記録マーク及び最長スペースとの振幅中心のずれの度合いを表すが、ライトパワーのパワー変化に対して最長スペースの振幅は変化せずに最長記録マークの振幅が変化するので、最長記録マーク及び最長スペースの振幅中心が変化し、ライトパワーの変化に対してアシンメトリ値が一次関数的な単調変化をさせることが可能になる。
【００１５】
さらに、本発明は前記目的を達成するために、第３の技術手段とし、波長が４０５ナノメートルの光に対して所定の吸収率を有する有機色素が用いられ、光情報記録装置によって青紫色レーザが照射されることにより記録マークとスペースとを形成して情報を記録する光情報記録媒体において、情報を記録するときに光情報記録装置が行う青紫色レーザのパワーの制御を、記録マークを形成するために必要なライトパワーと、前記ライトパワーよりパワーが低いスペースを形成するために必要なスペース形成パワーと、光情報記録媒体に記録された情報を再生するために必要なリードパワーよりパワーが高いバイアスパワーと、を用いて行わせるパワー情報があらかじめ記録されている光情報記録媒体を提案する。
【００１６】
この光情報記録媒体を使用すれば、記録パワー制御手段を備えた光情報記録装置において、情報記録時にライトパワーとスペース形成パワーとバイアスパワーとを用いて青紫色レーザのパワーの制御の実行が可能になる。
【００１７】
リードパワーよりバイアスパワーのパワー高くすることにより、ライトパワーを変化させた場合にライトパワーが低いパワーのときから最長記録マークを形成し易くなる。ここで、アシンメトリ値は再生信号における最短記録マーク及び最短スペースと最長記録マーク及び最長スペースとの振幅中心のずれの度合いを表すが、ライトパワーのパワー変化に対して最長スペースの振幅は変化せずに最長記録マークの振幅が変化するので、最長記録マーク及び最長スペースの振幅中心が変化し、ライトパワーの変化に対してアシンメトリ値が一次関数的な単調変化を活用することが可能になる。
【発明の効果】
【００１８】
本発明に係る光情報記録装置によれば、ライトパワーの変化に対してアシンメトリ値が一次関数的な単調変化するようになることを利用し、情報記録時に外乱が生じた場合でもライトパワーのパワーを変化させることにより適切な記録特性を得ることができる。
【００１９】
また、本発明に係る光情報記録方法によれば、同様に、ライトパワーの変化に対してアシンメトリ値が一次関数的な単調変化をすることが可能になるから、情報記録時に外乱が生じた場合でもライトパワーのパワーを変化させることにより適切な記録特性を得ることができる。
【００２０】
さらに、本発明に係る光情報記録媒体を使用すれば、記録パワー制御手段を備えた光情報記録装置において、ライトパワーの変化に対してアシンメトリ値が一次関数的な単調変化をさせることが可能になることから、情報記録時に外乱が生じた場合でもライトパワーを変化させることにより適切な記録特性の記録を可能にさせることができるようになる。
【発明を実施するための最良の形態】
【００２１】
図１乃至図１５は本発明の第１実施形態を示すもので、図１は光情報記録装置の概略ブロック図、図２は図１に示した光ディスクを説明する平面図、図３は再生信号における最短記録マーク及び最短スペースの振幅と最長記録マーク及び最長スペースの振幅を示す概念図、図４は図１に示したストラテジ回路で生成される記録パルスを説明する概念図、図５は最短記録マークを形成する記録パルスを説明する概念図、図６は最短記録マークの次に短い記録マークを形成する記録パルスを説明する概念図、図７はライトストラテジ設定処理のフローチャート、図８は再生信号における最短記録マーク及び最短スペースの振幅中心の変化を説明する概念図、図９は本発明によるライトパワーとアシンメトリ値及びジッタとの関係を示すグラフ、図１０は図４に示した記録パルスの他の例を示す概念図、図１１はバイアスパワーを０．４ミリワットに設定したときのライトパワーとアシンメトリ値及びジッタとの関係を示すグラフ、図１１はバイアスパワーを０．３ミリワットに設定したときのライトパワーとアシンメトリ値及びジッタとの関係を示すグラフ、図１１はバイアスパワーを０．１ミリワットに設定したときのライトパワーとアシンメトリ値及びジッタとの関係を示すグラフ、図１４は図４に示したライトストラテジの他の例を示す概念図、図１５は再生信号のβ値を説明する概念図である。
【００２２】
図１に示すように、光情報記録装置（以下、単にドライブという）１００は、エンコーダ１０１、ストラテジ回路１０２、レーザ発振器１０３、コリメータレンズ１０４、ハーフミラー１０５、対物レンズ１０６、集光レンズ１０７、受光部１０８、信号検出回路１０９、符号判定回路１１０、デコーダ１１１、符号判定回路１１２、アシンメトリ値検出回路１１３、制御回路１１４及び記憶回路１１５から構成されており、書き込み可能な光情報記録媒体（以下、単に光ディスクという）１０に対して青紫色レーザを照射して情報の記録又は再生を行う。
【００２３】
エンコーダ１０１は、所定の記録情報に対応した記録信号を符号化するためのものであり、所定の符号化方式、例えば１−７ＰＰ変調方式で符号化した記録データをストラテジ回路１０２に出力している。
【００２４】
ストラテジ回路１０２は、青紫色レーザの照射条件であるライトストラテジを設定するためのものであり、所定のライトストラテジの各種パラメータが設定されている。ストラテジ回路１０２は、後述する制御回路１１４から入力される制御信号に基づいてライトストラテジの各種パラメータを補正し、エンコーダ１０１から入力される記録データに基づいて光ディスク１０に所望の記録状態が得られるであろう記録パルスを生成してレーザ発振器１０３に出力している。
【００２５】
レーザ発振器１０３は、４０５ｎｍ付近の波長にパワーピークを有する青紫色レーザダイオードを備えており、記録パルスに対応して青紫色レーザのパワーやパルス幅を変化させ、変化させた青紫色レーザをコリメータレンズ１０４、ハーフミラー１０５及び対物レンズ１０６を介して線速度一定又は角速度一定で回転する光ディスク１０に照射している。これにより、光ディスク１０の記録層に記録マークとスペース（記録マークと記録マークとの間）とからなる記録マーク列が形成され、所定の記録情報が記録される。
【００２６】
これに対して光ディスク１０の記録層に記録された情報を再生する場合、レーザ発振器１０３は、所定パワー（以下、リードパワーＰｒという）の青紫色レーザをコリメータレンズ１０４、ハーフミラー１０５及び対物レンズ１０６を介して線速度一定又は角速度一定で回転する光ディスク１０に照射している。
【００２７】
受光部１０８は、リードパワーＰｒの青紫色レーザが照射された光ディスク１０からの反射光を対物レンズ１０６、ハーフミラー１０５及び集光レンズ１０７を介して受光し、電気信号に変換して信号検出回路１０９に出力している。
【００２８】
受光部１０８が出力する電気信号は、図２に示すように光ディスク１０内周部の設定領域１１にあらかじめ記録される光ディスクの種類を表すメディアＩＤと、ドライブ１００によって記録される記録マーク列とに対応しており、信号検出回路１０９は電気信号に含まれるＲＦ信号とウォブル信号とを検出し、符号判定回路１１０と後述するアシンメトリ値検出回路１１３とにＲＦ信号を出力するとともに、ウォブル信号を後述する符号判定回路１１２に出力している。
【００２９】
符号判定回路１１０は、例えばＰＲＭＬ（Partial Response Maximum Likelihood）等の信号処理によりＲＦ信号を符号化し、符号化されたＲＦ信号から所定周期Ｔのクロック信号を生成するとともに、符号化されたＲＦ信号をデコーダ１１１に出力している。
【００３０】
デコーダ１１１は、符号化されたＲＦ信号をさらに最尤復号化し、再生信号として出力している。
【００３１】
符号判定回路１１２は、信号検出回路１０９から入力されるウォブル信号に含まれるメディアＩＤを制御回路１１４に出力している。
【００３２】
アシンメトリ値検出回路１１３は、信号検出回路１０９から入力されるＲＦ信号におけるアシンメトリ値を検出し、制御回路１１４に出力している。
【００３３】
制御回路１１４はＣＰＵ及びＲＡＭ、ＲＯＭ等のメモリ等を備えた周知のマイクロプロセッサであり、入力された信号及び自己のメモリにあらかじめ記憶されたプログラムに基づいて動作しており、ストラテジ決定部１１４ａを備えている。ストラテジ決定部１１４ｂは、光ディスク１０に情報を記録するときのライトストラテジを決定するためのものであり、符号判定回路１１２から入力されるメディアＩＤと、記憶回路１１５に記憶されているデータと、アシンメトリ値検出回路１１３から入力されるＲＦ信号のアシンメトリ値とに基づいて、記録特性が適切、例えばジッタが６．５％以下になる記録パルスをストラテジ回路１０２が生成するようにストラテジ回路１０２に制御信号を出力している。
【００３４】
記憶回路１１５は、ＥＥＰＲＯＭ等の書き換え可能な記録素子等から構成されており、光ディスク１０に記録されたメディアＩＤごとに設定される、標準ドライブ及び標準光ディスクで適切な再生信号を得られる記録条件を表す標準記録条件を記憶している。
【００３５】
光ディスク１０に形成される記録マーク列は、理論上、ドライブ１００の符号判定回路１１０が生成するクロック信号の周期Ｔに対してｎＴ（ｎは正の整数）の長さを有しており、光ディスク１０に記録されたメディアＩＤごとに例えばｎ＝２〜８の整数となる長さの異なる複数の記録マーク及びスペースが形成され得る。各記録マーク及び各スペースに対応する記録パルスはストラテジ回路１０２によって設定される。なお、以下の説明において特に記載のない限り、メディアＩＤに対して長さｎＴ（ｎ＝２〜８の整数）となる記録マーク及びスペースが対応するものとする。
【００３６】
ここで、図３に示すように、アシンメトリ値検出回路１１３において検出されるアシンメトリ値Ａは、ＲＦ信号の長さ２Ｔの最短記録マークＭ２Ｔの振幅Ｉ２Ｈ及び最短スペースＳ２Ｔの振幅Ｉ２Ｌと、長さ８ＴのＲＦ信号の最長記録マークＭ８Ｔの振幅Ｉ８Ｈ及び最長スペースＳ８Ｔの振幅Ｉ８Ｌとから以下の式（１）で表される。
【００３７】
Ａ＝｛（Ｉ８Ｈ＋Ｉ８Ｌ）−（Ｉ２Ｈ＋Ｉ２Ｌ）｝／｛２×（Ｉ８Ｈ−Ｉ８Ｌ）｝  …（１）
また、図４に示すように、ライトストラテジは複数のパルスを含む記録パルス２０に変調された青紫色レーザによって各記録マーク及び各スペースを形成するマルチパルス型であり、記録パルス２０はスペース形成パルス２１、トップパルス２２、中間パルス２３、ラストパルス２４及びクーリングパルス２５を備えている。
【００３８】
スペース形成パルス２１は、パルス幅を変化させて記録マーク間に長さが２Ｔ〜８Ｔの各スペースＳ２Ｔ〜Ｓ８Ｔを形成するためのものであり、スペース形成パルス２１のパワーはスペース形成パワーＰｓに設定されている。スペース形成パワーＰｓは記録マークが形成されない程度のパワーであればよい。
【００３９】
トップパルス２２、中間パルス２３及びラストパルス２４は、トップパルス２２若しくはラストパルス２４のパルス幅、又は中間パルス２３の数を変化させて長さが２Ｔ〜８Ｔの各記録マークＭ２Ｔ〜Ｍ８Ｔを形成するためのものであり、トップパルス２２、中間パルス２３及びラストパルス２４のパワーは、記録マークが確実に形成されるパワーのライトパワーＰｗに設定されている。
【００４０】
クーリングパルス２５は、記録マークで発生した熱の伝播を防止して記録マーク後端のエッジをシャープにするために、ｒＴ（ｒはゼロ以上の実数）のパルス幅を有するものであり、クーリングパルス２５のパワーであるクーリングパワーＰｃはスペース形成パワーＰｓより低いパワーに設定されている。なお、クーリングパワーＰｃは、光ディスク１０の記録層の特性によって、パワーとパルス幅とがそれぞれ相応しい値に調整される。
【００４１】
また、記録パルス２０は、スペース形成パルス２１、トップパルス２２、中間パルス２３、ラストパルス２４及びクーリングパルス２５以外、すなわち図４においてトップパルス２２と中間パルス２３の間、中間パルス２３の間及び中間パルス２３とラストパルス２４間のパワーはバイアスパワーＰｂに設定されており、バイアスパワーＰｂは前述のリードパワーＰｒより高いパワーに設定されている。
【００４２】
なお、図４に示した記録パルス２０は例示であって、例えば図５（ａ）に示すように長さ２Ｔの最短記録マークＭ２Ｔを形成するための記録データＰ２Ｔに対応する記録パルス２０は、図５（ｂ）に示すようにトップパルス２２のみを備えており、図６（ａ）に示すように長さ３Ｔの記録マークＭ３Ｔを形成するための記録データＰ３Ｔに対応する記録パルス２０は、図６（ｂ）に示すようにトップパルス２１とラストパルス２３のみを備えている。従って、本実施形態のおける記録パルス２０は少なくともスペース形成パルス２１、トップパルス２２及びクーリングパルス２５を備えていることが好ましい。
【００４３】
ここで、図４に示した各パワーの具体例として、リードパワーＰｒが０．３５ミリワットを基準とし、一倍速（１ｘ）で記録する場合、スペース形成パワーＰｓを０．３ミリワット、ライトパワーＰｗを４．０ミリワット、クーリングパワーＰｃを０．１ミリワット、バイアスパワーＰｂを０．５ミリワットに設定すると、後述する図９と同様の結果が得られる。
【００４４】
このようなドライブ１００と光ディスク１０で構成された記録システムにおいて、光ディスク１０の記録領域１２に所定の記録情報を記録する際に、ライトストラテジ設定処理Ｓ１００が実行される。
【００４５】
すなわち、図７に示すように、ドライブ１００に光ディスク１０が装填されると、レーザ発振器１０３が光ディスク１０の設定領域１１にリードパワーＰｒの青紫色レーザを照射して設定領域１１の情報を再生し、ストラテジ決定部１１４ｂは符号判定回路１１２から入力されるメディアＩＤを取得する（ステップＳ１０１）。
【００４６】
次に、ストラテジ決定部１１４ｂは取得したメディアＩＤが所定のメディアＩＤか否か、すなわちドライブ１００に装填された光ディスク１０が４０５ｎｍの波長に吸収スペクトラムを有する有機色素を記録層に用いた光ディスク（以下、有機色素光ディスク１０Ａという）か否かを判定する（ステップＳ１０２）。
【００４７】
ステップＳ１０２の判定の結果、ドライブ１００に装填された光ディスク１０が有機色素光ディスク１０Ａの場合、ストラテジ決定部１１４ｂは取得したメディアＩＤに対応する標準記録条件を記憶回路１１５から読み込み、読み込んだ標準記録条件に基づいてストラテジ回路１０２に制御信号を出力し、ストラテジ回路１０２は入力された制御信号に基づいて、図４に示したように記録パルス２０のバイアスパワーＰｂがリードパワーＰｒより高いパワーのライトストラテジを設定する（ステップＳ１０３）。
【００４８】
記録パルス２０のバイアスパワーＰｂをリードパワーＰｒよりパワーを高くすることにより、記録パルス２０のライトパワーＰｗを変化させた場合にライトパワーＰｗが低いパワーのときから最長記録マークＭ８Ｔを形成し易くなる。そして、ライトパワーＰｗの変化に対して図８に示すように最長スペースＳ８Ｔの振幅Ｉ８Ｌは変化せずに最長記録マークＭ８Ｔの振幅Ｉ８Ｈが矢印で示すように変化するので、最長記録マークＭ８Ｔ及び最長スペースＳ８Ｔの振幅中心Ｉ８Ｃが点線で示す位置から一点鎖線で示す位置へ矢印のように変化する。これにより、図９に示すようにライトパワーＰｗの変化に対してアシンメトリ値Ａが一次関数的に単調な変化をする。このアシンメトリ値ＡはＲＦ再生信号における最短記録マークＭ２Ｔ及び最短スペースＳ２Ｔと最長記録マークＭ８Ｔ及び最長スペースＳ８Ｔとの振幅中心のずれの度合いを表す。また、記録特性が適切か否かの目安となるジッタが６．５％以下となる範囲のライトパワーＰｗが存在する。
【００４９】
なお、図１０に示すように、バイアスパワーＰｂに加え、記録パルス２０Ａのスペース形成パワーＰｓをリードパワーＰｒより高くするようにしてもよい。これにより、記録マークを形成する前に余熱効果を高めることができる。
【００５０】
ここで、図１０に示した各パワーの具体例として、リードパワーＰｒが０．３５ミリワットを基準とし、一倍速（１ｘ）で記録する場合、スペース形成パワーＰｓを１．２ミリワット、ライトパワーＰｗを４．０ミリワット、クーリングパワーＰｃを０．１ミリワット、バイアスパワーＰｂを１．２ミリワットに設定すると、前述の図９と同様の結果が得られる。
【００５１】
また、記録パルス２０のバイアスパワーＰｂは０．４ミリワット以上で、ライトパワーＰｗより低いパワーの範囲に設定することが好ましい。
【００５２】
ここで、図１１乃至図１３はそれぞれ、ライトパワーＰｗを２．５ミリワットから４．０ミリワットまで変化させたときのジッタ及びアシンメトリ値Ａの測定値を示すものであり、図１１に示すようにバイアスパワーＰｂを０．４ミリワットに設定したときに、ライトパワーＰｗの変化に対し、ジッタは６．５％以下が存在するスマイルカーブになっており、アシンメトリ値Ａは右下がりの一次関数状になっている。すなわち、バイアスパワーＰｂを０．４ミリワットに設定したときは、前述の図９と同様の結果が得られる。一方、図１２に示すようにバイアスパワーＰｂを０．３ミリワットに設定したときに、ライトパワーＰｗの変化に対し、ジッタは６．５％以下が少し存在するスマイルカーブになっており、アシンメトリ値Ａは全体の変化値が少し小さく、ライトパワーＰｗが３．０ミリワットのとき、極値を示す上側に湾曲したカーブになっている。また、図１３に示すようにバイアスパワーＰｂを０．１ミリワットに設定したときに、ライトパワーＰｗの変化に対し、ジッタは６．５％以下が少し存在する右下がりの変形スマイルカーブになっており、アシンメトリ値ＡはライトパワーＰｗが低い範囲で一次関数的に変化しているが、高い範囲では変化が全くなく、全体の変化値が極端に小さくなっている。このように、バイアスパワーＰｂを０．４ミリワット以上、かつ、ライトパワーＰｗより低く設定することにより、ライトパワーＰｗの変化に対してアシンメトリ値Ａの変化が顕著になり、アシンメトリ値Ａの変化から最適なライトパワーＰｗの値を探し出すことが可能になる。
【００５３】
図７に示したステップＳ１０２の判定の結果、ドライブ１００に装填された光ディスク１０が有機色素光ディスク１０Ａではない場合、ストラテジ決定部１１４ｂは取得したメディアＩＤに対応する標準記録条件を記憶回路１１５から読み込み、読み込んだ標準記録条件に基づいてストラテジ回路１０２に制御信号を出力し、ストラテジ回路１０２は入力された制御信号に基づいて、図１９に示したように、記録パルス３０のバイアスパワーＰｂがリードパワーＰｒ以下である従来のライトストラテジを設定する（ステップＳ１０４）。これにより、高感度の光ディスク１０に対して、従来と同様に熱蓄積や熱拡散の影響を抑制して記録精度を向上させることができる。
【００５４】
なお、記憶回路１１５に記憶された標準記録条件は標準ドライブにおいてメディアＩＤごとの標準光ディスクに情報を記録する際に適した記録条件であるため、実際のドライブ１００及び光ディスク１０において、光ディスク及びドライブの個々のばらつきや外乱等の影響を受ける場合がある。従って、図７に示したライトストラテジ設定処理Ｓ１００の終了後、光ディスク１０に所定の記録情報を記録する前に、ストラテジ回路１０２が設定されたライトストラテジの各種パラメータを複数段階変化させ、エンコーダ１０１から入力される所定のテストデータに基づいて複数の記録パルスを生成してレーザ発振器１０３に出力し、レーザ発振器１０３が光ディスク１０内周部の設定領域１１に青紫色レーザを照射して複数のテスト情報を記録するテスト記録を行い、次いでレーザ発振器１０３が光ディスク１０の設定領域１１にリードパワーＰｒの青紫色レーザを照射して設定領域１１に記録された複数のテスト情報を再生し、ストラテジ決定部１１４ｂが再生された複数のテスト情報に基づいてライトストラテジの各種パラメータを調整することが好ましい。これにより、光ディスク及びドライブの個々のばらつきや外乱等の影響が少なくなる。
【００５５】
本実施形態ではマルチパルス型のライトストラテジを用いるようにしたが、これに限定されず、図１４に例示するように、記録パルス２０Ｂはトップパルス２２とラストパルス２４の間に中間パルス２３を備え、中間パルス２３のパワーがバイアスパワーＰｂに設定されているキャッスル型のライトストラテジを用いるようにしてもよい。
【００５６】
ここで、図１４に示した各パワーの具体例として、リードパワーＰｒが０．３５ミリワットを基準とし、四倍速（１ｘ）で記録する場合、スペース形成パワーＰｓを２．２ミリワット、ライトパワーＰｗを８．４ミリワット、クーリングパワーＰｃを０．１ミリワット、バイアスパワーＰｂを５．０ミリワットに設定すると、前述の図９と同様の結果が得られる。
【００５７】
また、本実施形態ではＲＦ信号のアシンメトリ値Ａを検出するようにしたが、これに限定されず、ＲＦ信号のβ値を検出するようにしてもよい。図１５に示すように、β値はＲＦ信号をＡＣカップリングし、すなわちＲＦ信号の直流成分を除去してＧＮＤレベルを基準としたときに、最長記録マークＭ８Ｔの振幅とＧＮＤレベルとの差ａと、最長スペースＳ８Ｔの振幅とＧＮＤレベルとの差ｂとから以下の式（２）で表される。これにより、ライトパワーＰｗの変化に対して最長スペースＳ８Ｔの振幅とＧＮＤレベルとの差ｂは変化せずに最長記録マークＭ８Ｔの振幅とＧＮＤレベルとの差ａが変化するので、アシンメトリ値Ａと同様に、β値が一次関数的な単調変化をする。
【００５８】
β値＝（ａ−ｂ）／（ａ＋ｂ）  …（２）
また、本実施形態では光ディスク１０に記録されたメディアＩＤに基づいて、記録パルス２０のバイアスパワーＰｂがリードパワーＰｒより高いライトストラテジを設定するようにしたが、これに限定されず、メディアＩＤとは別に、光ディスク１０内周部の設定領域１１に記録パルス２０に設定されるパワーを表すパワーデータをあらかじめ記録しておき、パワーデータに基づいてライトストラテジを設定するようにしてもよい。
【００５９】
このように、本発明によれば、記録パルス２０のバイアスパワーＰｂをリードパワーＰｒより高くすることにより、記録パルス２０のライトパワーＰｗを変化させた場合にライトパワーＰｗが低いパワーのときから最長記録マークＭ８Ｔを形成し易くなる。そして、ライトパワーＰｗの変化に対して最長スペースＳ８Ｔの振幅Ｉ８Ｌは変化せずに最長記録マークＭ８Ｔの振幅Ｉ８Ｈが変化するので、最長記録マークＭ８Ｔ及び最長スペースＳ８Ｔの振幅中心Ｉ８Ｃが変化し、ライトパワーＰｗの変化に対してアシンメトリ値Ａが一次関数的である単調な変化をする。なお、アシンメトリ値ＡはＲＦ信号における最短記録マークＭ２Ｔ及び最短スペースＳ２Ｔと最長記録マークＭ８Ｔ及び最長スペースＳ８Ｔとの振幅中心のずれの度合いを表す。このように、アシンメトリ値Ａが一次関数的な変化により、情報記録時に外乱が生じた場合でも記録パルス２０のライトパワーＰｗを変化させることにより適切な記録特性を得ることができる。
【００６０】
また、バイアスパワーＰｂに加え、記録パルス２０Ａのスペース形成パワーＰｓをリードパワーＰｒより高くするようにしたので、記録マークを形成する前に余熱効果を高めることができるから、更に記録マークを形成し易くなり、更に適切な記録特性を得ることができる。
【００６１】
さらに、記録パルス２０のバイアスパワーＰｂを０．４ミリワット以上で、ライトパワーＰｗより低いパワーに設定するようにしたので、ライトパワーＰｗのパワー変化に対してアシンメトリ値Ａの変化が直線的に顕著になることから、容易に適切な記録特性を得ることができる。
【００６２】
次に、図１６乃至図１８を参照して本発明の第２実施形態を説明する。
【００６３】
図１６はバイアスパワーとライトパワーとの関係を示すグラフ、図１７は光情報記録装置の概略ブロック図、図１８はライトストラテジ設定処理のフローチャートである。
【００６４】
第２実施形態と第１実施形態との相違点は、バイアスパワーＰｂがライトパワーＰｗの一次関数として変化するようにしたことである。なお、前述した第１実施形態と同一構成部分は同一符号をもって表し、その説明を省略する。
【００６５】
すなわち、ストラテジ回路１０２が生成する記録パルス２０のバイアスパワーＰｂは、ライトパワーＰｗの一次関数として係数ｓ及び定数ｔを用いて以下の（３）式で表される。
【００６６】
Ｐｂ＝ｓ×Ｐｗ＋ｔ  …（３）
図１６に示すように、有機色素光ディスク１０Ａへの記録に適したライトパワーＰｗの下限値Ｐｗｌ及び上限値Ｐｗｈのときに、バイアスパワーＰｂはそれぞれ最小値Ｐｂ１及び最大値Ｐｂ２となるように係数ｓ及び定数ｔが設定されており、有機色素光ディスク１０ＡではバイアスパワーＰｂの最小値Ｐｂ１がリードパワーＰｒの値よりも大きくなっている。
【００６７】
図１７に示すように、記憶回路１１５Ａは標準記録条件に加え、メディアＩＤごとに設定され、ライトパワーＰｗの変化（Ｐｗｌ≦Ｐｗ≦Ｐｗｈ）に対してバイアスパワーＰｂの値が図１６に示した所定範囲の値（Ｐｂ１≦Ｐｂ≦Ｐｂ２）となる係数ｓ及び定数ｔを記憶している。
【００６８】
有機色素光ディスク１０Ａの記録領域１２に所定の記録情報を記録する際に、図１８に示すように、第１実施形態と同様にステップＳ１０１〜ステップＳ１０２の処理を行い、ステップＳ１０２の判定の結果、ドライブ１００に装填された光ディスク１０が有機色素光ディスク１０Ａの場合、ストラテジ決定部１１４ｂは取得したメディアＩＤに対応する標準記録条件、係数ｓ及び定数ｔを記憶回路１１５Ａから読み込み、読み込んだ標準記録条件、係数ｓ及び定数ｔと、（３）式とに基づいてストラテジ回路１０２に制御信号を出力し、ストラテジ回路１０２は入力された制御信号に基づいて、図１６に示したように記録パルス２０のバイアスパワーＰｂがライトパワーＰｗの一次関数として変化し、リードパワーＰｒより高いライトストラテジを設定する（ステップＳ１０５）。これにより、ライトパワーＰｗの変化に伴いバイアスパワーＰｂが変化する場合でも、記録パルス２０のバイアスパワーＰｂがリードパワーＰｒより高くなる。
【００６９】
ステップＳ１０２の判定の結果、ドライブ１００に装填された光ディスク１０が有機色素光ディスク１０Ａではない場合、ストラテジ決定部１１４ｂは取得したメディアＩＤに対応する標準記録条件、係数ｓ及び定数ｔを記憶回路１１５Ａから読み込み、読み込んだ標準記録条件、係数ｓ及び定数ｔと、（３）式とに基づいてストラテジ回路１０２に制御信号を出力し、ストラテジ回路１０２は入力された制御信号に基づいて、図１９に示したように、記録パルス３０のバイアスパワーＰｂがリードパワーＰｒ以下である従来のライトストラテジを設定する（ステップＳ１０６）。本実施形態では、従来と同様に記録パルス３０のバイアスパワーＰｂがリードパワーＰｒ以下のライトストラテジを設定するようにしたが、これに限定されず、有機色素光ディスク１０Ａと同様にバイアスパワーＰｂがリードパワーＰｒより高いライトストラテジを設定するようにしてもよい。
【００７０】
なお、第１実施形態と同様に、図１０に示したようにバイアスパワーＰｂに加え、記録パルス２０Ａのスペース形成パワーＰｓをリードパワーＰｒより高くするようにしてもよい。これにより、記録マークを形成する前に余熱効果を高めることができる。また、記録パルス２０のバイアスパワーＰｂの最小値Ｐｂ１が０．４ミリワット以上、かつ、最大値Ｐｂ２がライトパワーＰｗの上限値Ｐｗｈより低く（０．４ｍＷ≦Ｐｂ１、Ｐｂ２≦Ｐｗｈ）なるように、係数ｓ及び定数ｔを設定することが好ましい。これにより、ライトパワーＰｗの変化に対してアシンメトリ値Ａの変化が顕著になる。
【００７１】
また、本実施形態では光ディスク１０に記録されたメディアＩＤに基づいて、記憶回路１１５Ａに記憶された係数ｓ及び定数ｔを読み込み、記録パルス２０のバイアスパワーＰｂがリードパワーＰｒより高いライトストラテジを設定するようにしたが、これに限定されず、メディアＩＤとは別に、光ディスク１０内周部の設定領域１１に係数ｓ及び定数ｔを含むバイアスデータをあらかじめ記録しておき、バイアスデータと（３）式とに基づいてライトストラテジを設定するようにしてもよい。
【００７２】
さらに、第１実施形態と同様に、マルチパルス型のライトストラテジを用いる場合に限定されず、図１４に例示したようにキャッスル型のライトストラテジを用いるようにしてもよく、ＲＦ信号のアシンメトリ値Ａを検出する場合に限定されず、ＲＦ信号のβ値を検出するようにしてもよい。
【００７３】
このように、本発明によれば、記録パルス２０のバイアスパワーＰｂがライトパワーＰｗの一次関数として変化する場合でも、適切な係数ｓ及び定数ｔを設定することにより第１実施形態と同様の効果を得ることができる。
【００７４】
なお、本発明の構成及び動作は前述の各実施形態のみに限定されるものではなく、本発明の要旨を逸脱しない範囲内において種々変更を加えてもよい。
【図面の簡単な説明】
【００７５】
【図１】光情報記録装置の概略ブロック図
【図２】図１に示した光ディスクを説明する平面図
【図３】再生信号における最短記録マーク及び最短スペースの振幅と最長記録マーク及び最長スペースの振幅を示す概念図
【図４】図１に示したストラテジ回路で生成される記録パルスを説明する概念図
【図５】最短記録マークを形成する記録パルスを説明する概念図
【図６】最短記録マークの次に短い記録マークを形成する記録パルスを説明する概念図
【図７】ライトストラテジ設定処理のフローチャート
【図８】再生信号における最短記録マーク及び最短スペースの振幅中心の変化を説明する概念図
【図９】本発明によるライトパワーとアシンメトリ値及びジッタとの関係を示すグラフ
【図１０】図４に示した記録パルスの他の例を示す概念図
【図１１】バイアスパワーを０．４ミリワットに設定したときのライトパワーとアシンメトリ値及びジッタとの関係を示すグラフ
【図１２】バイアスパワーを０．３ミリワットに設定したときのライトパワーとアシンメトリ値及びジッタとの関係を示すグラフ
【図１３】バイアスパワーを０．１ミリワットに設定したときのライトパワーとアシンメトリ値及びジッタとの関係を示すグラフ
【図１４】図４に示したライトストラテジの他の例を示す概念図
【図１５】再生信号のβ値を説明する概念図
【図１６】バイアスパワーとライトパワーとの関係を示すグラフ
【図１７】光情報記録装置の概略ブロック図
【図１８】ライトストラテジ設定処理のフローチャート
【図１９】従来技術における記録パルスを説明する概念図
【図２０】従来技術におけるライトパワーとアシンメトリ値及びジッタとの関係を示すグラフ
【符号の説明】
【００７６】
１０…光ディスク、１０Ａ…有機色素光ディスク、２０，２０Ａ，２０Ｂ…記録パルス、２１…スペース形成パルス、２２…トップパルス、２３…中間パルス、２４…ラストパルス、１００…ドライブ、１０２…ストラテジ回路、１１４ｂ…ストラテジ決定部、Ｐｗ…ライトパワー、Ｐｓ…スペース形成パワー、Ｐｂ…バイアスパワー、Ｐｒ…リードパワー、Ｐｃ…クーリングパワー。
【図１】
2008305530.tif 000003
【図２】
2008305530.tif 000004
【図３】
2008305530.tif 000005
【図４】
2008305530.tif 000006
【図５】
2008305530.tif 000007
【図６】
2008305530.tif 000008
【図７】
2008305530.tif 000009
【図８】
2008305530.tif 000010
【図９】
2008305530.tif 000011
【図１０】
2008305530.tif 000012
【図１１】
2008305530.tif 000013
【図１２】
2008305530.tif 000014
【図１３】
2008305530.tif 000015
【図１４】
2008305530.tif 000016
【図１５】
2008305530.tif 000017
【図１６】
2008305530.tif 000018
【図１７】
2008305530.tif 000019
【図１８】
2008305530.tif 000020
【図１９】
2008305530.tif 000021
【図２０】
2008305530.tif 000022